(57)【要約】  本発明は、薬剤が充填されたカートリッジ（２８）を収容するハウジング（１８）と、所定の用量の薬剤をカートリッジ（２８）から排出するように、カートリッジ（２８）と動作可能に係合する電動の駆動機構（３２、３４）と、薬剤の用量を設定および／または投薬するように、ハウジング（１８）に対して変位可能に配置された少なくとも１つの用量要素（１５、２４）とを備え、用量要素（１５、２４）および駆動機構（３２、３４）が互いに機械的に切り離される、薬剤の用量を設定および投薬するための薬物送達デバイスに関する。
2014520617.tif 000002
【特許請求の範囲】
【請求項１】
薬剤が充填されたカートリッジ（２８）を収容するように構成されたハウジング（１８）と、
所定の用量の薬剤をカートリッジ（２８）から排出するように構成され、カートリッジ（２８）と動作可能に係合する電動の駆動機構（３２、３４）と、
薬剤の用量を設定および／または投薬するように構成され、ハウジング（１８）に対して変位可能に配置された少なくとも１つの用量要素（１５、２４）と
を備え、用量要素（１５、２４）および駆動機構（３２、３４）は、互いに機械的に切り離される、薬剤の用量を設定および投薬するための薬物送達デバイス。
【請求項２】
用量要素（１５、２４）は、ハウジング（１８）に対して並進可能にかつ／または回転可能に取り付けられる請求項１に記載の薬物送達デバイス。
【請求項３】
用量要素（１５、２４）のハウジング（１８）に対する位置および／または向きは、デバイスによって注入される用量の大きさを示す請求項１又は２に記載の薬物送達デバイス。
【請求項４】
用量要素（１５、２４）は、駆動機構（３２、３４）の用量投薬動作を開始および／または制御するように動作可能である請求項１〜３のいずれか１項に記載の薬物送達デバイス。
【請求項５】
用量要素（１５、２４）のハウジング（１８）に対する位置および／または向きを検知するために、少なくとも１つの位置センサ（３８）および／または少なくとも１つの回転センサ（３８）をさらに備える請求項１〜４のいずれか１項に記載の薬物送達デバイス。
【請求項６】
用量注射中、用量要素（１５、２４）に作用する力を決定するために、少なくとも１つの力センサ（４２）をさらに備える請求項１〜５のいずれか１項に記載の薬物送達デバイス。
【請求項７】
電動の駆動機構（３２、３４）の用量投薬動作中、用量要素（１５、２４）を初期の位置または初期の向きまで変位および／または回転させるために、アクチュエータ（４０）をさらに備える請求項１〜６のいずれか１項に記載の薬物送達デバイス。
【請求項８】
用量要素（１５、２４）の変位および／または回転は、駆動機構（３２、３４）の投薬動作に直接対応する請求項７に記載の薬物送達デバイス。
【請求項９】
駆動機構（３２、３４）の投薬動作は、用量要素（１５、２４）に作用する力（４６）の大きさによって制御可能である請求項６〜８のいずれか１項に記載の薬物送達デバイス。
【請求項１０】
少なくとも部分的に薬剤が充填され、ハウジング（１８）の中に配置されるカートリッジ（２８）をさらに備える請求項１〜９のいずれか１項に記載の薬物送達デバイス。
【請求項１１】
用量要素（１５、２４）の、デバイスのハウジング（１８）に対する位置および／または向きを検知する工程と、
該相対的な位置および／または向きに基づき、投薬すべき用量の大きさを決定する工程と、
電動の用量投薬手順を制御する工程と、
用量投薬手順中、用量要素（１５、２４）を初期の位置および／または向きに変位させる変位を制御する工程と
を含む、薬物送達デバイスの駆動機構を動作させる方法。
【発明の詳細な説明】
【技術分野】
【０００１】
本発明は、電気機械的な駆動機構を有する、所定の用量の薬剤をカートリッジから投薬するための薬物送達デバイスに関する。電気機械的な薬物送達デバイスは特に、完全に機械的に動作させるもしくは手で動作させる薬物送達デバイスの機械的な特性を模倣するか、またはそれに似るように適合される。
【背景技術】
【０００２】
使用者が動作させる薬物送達デバイス自体は、当技術分野において知られている。それらは通常、正式な医療の訓練を受けていない人、すなわち患者が、正確な所定の用量の、ヘパリンまたはインスリンなどの薬剤を投与する必要がある状況で適用することができる。特に、そうしたデバイスには、薬剤を短期または長期にわたって規則的にまたは不規則に投与する用途がある。
【０００３】
これらの要求に対応するために、そうしたデバイスはいくつかの要件を満たさなければならない。第一に、デバイスは構造的に頑丈であり、さらに使用者が、その動作および必要な用量または薬剤の送達を処理ならびに理解する点において、使用が容易でなければならない。用量の設定は、簡単かつ明瞭でなければならない。デバイスが再使用可能ではなく使い捨てである場合、デバイスは、製造に費用がかからず廃棄しやすいものにすべきである。
【０００４】
手で動作させるまたは純粋に機械的に動作させる薬物送達デバイスの他に、用量の選択および適切な用量の薬剤の投与が、電子回路、たとえばコントローラ、マイクロプロセッサなどによって制御される電気機械的な薬物送達デバイスも存在する。そうした電子的または電気機械的なデバイスは、高い投与の精度を提供し、またデバイスによって投薬された用量の長期の監視を支援することができる。したがって、投与および投薬の方式をデバイスに記憶させ、用量投薬の履歴を読み出せるようにすることも可能である。
【０００５】
しかしながら、電子的または電気機械的なデバイスの場合、用量の設定および投薬は、完全に機械的に実施されるデバイスに比べて直感的でないことがある。特に、機械的に実施されるデバイスの場合、使用者はある一定の注入の力を加えなければならず、それによって力のフィードバックを得る。電気機械的なデバイスを導入し、完全に機械的なデバイスを替えることによって、患者または使用者は、不慣れなまたは不便な操作方式に直面する可能性がある。したがって、誤用および最適以下の治療の危険性がある程度生じる恐れがある。また、使用者がそうした電気機械的なデバイスを受け入れる可能性は、かなり低い。
【発明の概要】
【発明が解決しようとする課題】
【０００６】
したがって、本発明の目的は、特に使用者が機械的に実施されるデバイスに慣れている場合に、より高いレベルで使用者に受け入れられる電気機械的な薬物送達デバイスを提供することである。したがって、本発明は、電気機械的に実施されるデバイスに対する使用者の順応性を高めることを目的とする。本発明により、機械的な薬物送達デバイスの機能性に慣れた使用者が、電気的に駆動されるデバイスにより簡単に慣れるようになるべきである。
【課題を解決するための手段】
【０００７】
本発明による薬物送達デバイスは、ある用量の薬剤を設定および投薬するように適合され企図される。薬物送達デバイスは、投薬する薬剤で少なくとも部分的に充填されたカートリッジを収容するハウジングを備える。デバイスは、所定の用量の薬剤をカートリッジから排出するように、カートリッジと動作可能に係合するようになる電動の駆動機構をさらに備える。好ましくは、カートリッジは、その内部に摺動可能に配設され、カートリッジ本体の近位のシールとして働くピストンを備える。その場合、通常はピストン・ロッドを備える駆動機構は、カートリッジ内部の流体の圧力を高め、必要な用量の薬剤を、注射針などの穿孔要素が貫入する遠位に配置されたセプタムを介して放出するために、ピストンに遠位を向いた圧力を及ぼすように適合される。
【０００８】
さらに、薬物送達デバイスは、薬剤の用量を設定および／または投薬するようにハウジングに対して変位可能に配置された、少なくとも１つの用量要素も備える。一実施形態によれば、用量要素のハウジングに対する可動性は、完全に機械的な薬物送達デバイスの操作性または機能性に似る、かつ／またはそれを模倣する役目を果たすことが可能である。少なくとも１つの用量要素はアクチュエータとして働くこともできるが、実際には、電気的に実施される駆動機構から機械的に切り離される。こうして、用量要素が、ハウジングに対して変位可能に、したがって回転可能にかつ／または並進可能に支持される、電気的に実施されるもしくは電気機械的な薬物送達を提供することができる。
【０００９】
用量要素のハウジングに対する回転および／または並進または長手方向の変位は、機械的に実施されるもしくは手で駆動される薬物送達デバイスの操作性を模倣する、かつ／またはそれに似せる目的で実施される。一般的に、用量要素は、患者および使用者の順応性を高める構成要素としての役目を果たすことができる。
【００１０】
用量設定は、用量要素の回転および／または並進または長手方向の変位によって行われる。用量要素は、電気的に実施される駆動機構から機械的に切り離される。用量要素の変位を駆動機構に伝えるように構成された、機械的な連結または結合は存在しない。
【００１１】
用量投薬は、実際には、完全に駆動機構の電気機械的な実施によって行われる。したがって、用量投薬または薬剤注射の手順は、使用者しか起動させることができないようにする。薬剤をカートリッジから放出するプロセスは、電気機械的に実施され、所定の段取りをたどることができる。たとえばカートリッジに加えられるそれぞれの力は、電気的な駆動装置によって提供される。
【００１２】
好ましい実施形態によれば、用量要素は、ハウジングに対して並進可能にかつ／または回転可能に取り付けられる。薬物送達デバイスが細長い形状のペン型注射器として実装される場合、用量要素は、患者の治療範囲から離れる方向を向いたデバイスの近位端の近くに配置することができる。用量設定手順の過程において、用量要素は、ハウジングに対して近位方向に並進可能にかつ／または回転可能に変位させ、それによって、ハウジングの近位端から突出し離れるようにすることができる。
【００１３】
他の好ましい態様によれば、用量要素のハウジングに対する位置および／または向きは、デバイスによって注入される用量の大きさを示す。好ましくは、用量要素は目盛を備え、目盛は、用量要素の特定の位置または向きに応じて、その後の投薬または注射手順において投薬される薬剤のユニット数を示す。
【００１４】
他の好ましい態様において、用量要素は、駆動機構の用量投薬動作を開始および／または制御するように動作することもできる。しかしながら、駆動機構は電気的に駆動されるため、用量要素の作動は、少なくとも１つのセンサ要素によって監視される。前記センサから得ることができる電気信号が駆動機構に提供され、駆動機構では、それぞれの投薬手順を実現するために、センサ信号を適切に処理することができる。
【００１５】
それに応じて、また他の好ましい実施形態に従って、デバイスは、用量要素のハウジングに対する位置および／または向きを検知するために、少なくとも１つの位置センサおよび／または少なくとも１つの回転センサを備える。前記位置センサおよび／または回転センサはさらに、用量要素の移動速度を監視および定量化するように適合させることができる。用量要素の位置および／もしくは向きを決定または検知することによって、駆動機構は、その後の用量投薬手順において注入される用量の大きさを決定または計算することできる。
【００１６】
位置決めセンサおよび／または回転センサは、位置または角度を、たとえばそれまでの位置に対して相対的に、またはたとえばハウジングに対して絶対的に符号化するように、光学的に、磁気的にかつ／または電気的に実施することができる。（１つまたはそれ以上の）センサ要素は、ホール素子または類似の磁気抵抗型の構成要素を含むことができ、一方、用量要素は、その自由度に従って磁気的に符号化される。
【００１７】
他の好ましい実施形態において、薬物送達デバイスは、用量注射の間、用量要素に作用する力を決定するために、少なくとも１つの力センサまたは圧力センサをさらに備える。こうして、使用者によって提供および供給された遠位を向いた力を検知し、場合により記録することが可能になり、それに応じて用量投薬手順を実行することができる。したがって、加えられた力または圧力の大きさによって、電気機械的に実施される用量投薬の速度を決定することができる。たとえば、加えられた力が閾値より高い場合、薬剤は所定の割合、たとえば８ユニット／秒で送達される。
【００１８】
さらなる好ましい実施形態によれば、薬物送達デバイスは、電動の駆動機構の用量投薬動作の間、用量要素を初期の位置または初期の向きまで変位および／または回転させるために、少なくとも１つのアクチュエータも備える。したがって、アクチュエータは、電気的に実施される用量投薬動作について、使用者に機械的なフィードバックを提供することができる。アクチュエータはさらに、用量要素の瞬時の位置または移動が、駆動機構によって行われる実際の用量投薬手順を反映する形で、電気的に実施される駆動機構によって制御することができる。
【００１９】
通常は電気的な駆動装置を備えるアクチュエータは、完全に機械的に実施される薬物送達デバイスの操作性の少なくとも１つまたはそれ以上の態様に似せるために、またはそれを模倣するために、使用者に対して反力を発生させ提供する。好ましくは、用量要素の初期の位置または構成に向かう変位および／または回転は、駆動機構の実際の投薬動作に直接対応する。こうして、使用者または患者は、電気的に駆動される投薬手順の進行に関する直接的かつ直感的なフィードバックを受ける。
【００２０】
他の好ましい態様によれば、電気的に実施される駆動機構の投薬動作はさらに、用量要素に対して、たとえば遠位方向に作用する力の大きさによって制御可能にすることができる。したがって、駆動機構は、用量投薬手順の間、所定のレベルより高い遠位を向いた力または圧力が、用量要素に常に存在しなければならない形で実施することができる。力が前記所定のレベルより低くなるとすぐに、投薬手順を中断し停止することができる。
【００２１】
しかしながら、用量要素と駆動機構を機械的に切り離すことによって、用量要素に加える必要がある投薬力を効果的に低減することができる。その結果、用量投薬手順を開始または実行するための遠位を向いた力の閾値を、手で動作させる薬物送達デバイスおよび完全に機械的に動作させる薬物送達デバイスに比べて低くすることができる。位置センサ、回転センサおよび力センサの電気的に実施される駆動機構との相互作用によって、用量要素に存在する機械的な力の増幅を可能にする、ある種のサーボ機構を提供することができる。特定タイプのカートリッジでは元来、比較的大きい投薬力を必要とすることがあるが、このデバイスでは、最終使用者によって提供される作動力を比較的低いレベルに保つことが可能である。
【００２２】
さらなる実施形態によれば、薬物送達デバイスには、少なくとも部分的に薬剤が充填されたカートリッジが容易に備え付けられる。カートリッジは、カートリッジ・ホルダとして働く薬物送達デバイスのハウジングの遠位部分に配置されることが好ましい。薬物送達デバイスは、使い捨てのデバイスまたは再使用可能なデバイスとして設計することができる。使い捨てのデバイスとして設計される場合、カートリッジの内容物を使い果たすと、薬物送達デバイス全体が廃棄される。そうではなく、再使用可能なデバイスとして設計される場合、空のカートリッジを充填済みのものに交換することができる。
【００２３】
さらに他の態様によれば、本発明はまた、薬物送達デバイスの駆動機構を動作させる方法に関する。前記方法は、用量要素が薬物送達デバイスのハウジングに対して特定の構成に位置することで始まる。用量要素は、駆動機構から機械的に切り離されるが、所定の用量の薬剤を設定および／もしくは投薬する制御手段に似ている、ならびに／またはそうした制御手段を提供する。第１の工程では、用量要素のハウジングに対する位置および／または向きを検知し、前記位置または向きに基づいて投薬する用量の大きさを決定する。
【００２４】
決定または計算された用量の大きさに応じて、電気的に駆動されるまたは自動化された用量投薬手順が実行および／または制御される。前記投薬は、用量要素を押し下げることによって起動することができる。用量投薬の間、用量要素を、その初期の位置に向かって、および／もしくはその初期の向きに向かって、変位ならびに／または回転させ、用量投薬動作の終了時にそれに達するようにする。用量要素の移動および／または回転は、薬物送達デバイスの電気的に実施される駆動機構または制御機構によって制御される。
【００２５】
さらに、模倣する機械的なデバイスのタイプに応じて、用量投薬動作の完了後の用量要素の位置または向きを、初期の位置または構成から変えることもでき、用量要素は用量設定動作の前に備える。
【００２６】
この文脈において、方法が薬物送達デバイスの使用に特に適合されることにさらに留意されたい。したがってそれに応じて、薬物送達デバイスの点から記載され主張される特徴および実施形態はすべて、前記方法にもあてはまる。
【００２７】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００２８】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００２９】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−Ｙ−グルタミル）−ｄｅｓ（Ｂ３０）ヒトインスリン；Ｂ２９−Ｎ−（Ｎ−リトコリル−Ｙ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタ−デカノイル）ヒトインスリンである。
【００３０】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３１】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３２】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３３】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３４】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３５】
抗体は、基本的な構造を共有する免疫グロブリンとしても知られる、球状の血漿タンパク質（〜１５０ｋＤａ）である。それらは、アミノ酸残基に加えられた糖鎖を有するため、糖タンパク質である。各抗体の基本的な機能単位は、（ただ１つのＩｇ単位を含む）免疫グロブリン（Ｉｇ）・モノマーであり；分泌型抗体は、ＩｇＡのような２つのＩｇ単位を有する二量体、硬骨魚のＩｇＭのような４つのＩｇ単位を有する四量体、または哺乳類のＩｇＭのような５つのＩｇ単位を有する五量体もあり得る。
【００３６】
Ｉｇモノマーは、４つのポリペプチド鎖；システイン残基間のジスルフィド結合によって結合された、２つの同一の重鎖および２つの同一の軽鎖からなる「Ｙ」字形の分子である。各重鎖は約４４０のアミノ酸長であり；各軽鎖は約２２０のアミノ酸長である。重鎖および軽鎖はそれぞれ、それらの折り畳みを安定化する鎖内のジスルフィド結合を含む。各鎖は、Ｉｇドメインと呼ばれる構造ドメインからなる。これらのドメインは、約７０〜１１０のアミノ酸を含み、そのサイズおよび機能に従って様々な種類（たとえば、可変部またはＶ、および定常部またはＣ）に分類される。それらは、２つのβシートが、保護されたシステインと他の帯電したアミノ酸との間の相互作用によって互いに保持される「サンドイッチ」形を生成する、特徴的な免疫グロブリン・フォールドを有する。
【００３７】
哺乳類のＩｇ重鎖には、α、δ、ε、γおよびμで示される５つのタイプが存在する。存在する重鎖のタイプが、抗体のイソタイプを決め；これらの鎖は、それぞれＩｇＡ、ＩｇＤ、ＩｇＥ、ＩｇＧおよびＩｇＭ抗体の中に見出される。
【００３８】
異なる重鎖は、サイズおよび組成が異なり；αおよびγは約４５０のアミノ酸を、δは約５００のアミノ酸を含み、一方、μおよびεは約５５０のアミノ酸を有する。各重鎖は、２つの領域、すなわち定常領域（ＣＨ）および可変領域（ＶＨ）を有する。１つの種において、定常領域は、同じイソタイプのすべての抗体では本質的に同一であるが、異なるイソタイプの抗体では異なる。重鎖γ、αおよびδは、３つのタンデム型のＩｇドメインおよび可撓性を加えるヒンジ領域からなる定常領域を有し；重鎖μおよびεは、４つの免疫グロブリン・ドメインからなる定常領域を有する。重鎖の可変領域は、異なるＢ細胞によって生成された抗体では異なるが、単一のＢ細胞またはＢ細胞クローンによって生成されたすべての抗体では同じである。各重鎖の可変領域は、約１１０のアミノ酸長であり、単一のＩｇドメインからなる。
【００３９】
哺乳類では、λおよびκで示される２つのタイプの免疫グロブリン軽鎖が存在する。軽鎖は２つの連続するドメイン：１つの定常ドメイン（ＣＬ）および１つの可変ドメイン（ＶＬ）を有する。軽鎖のおおよその長さは、２１１〜２１７のアミノ酸である。各抗体は２つの軽鎖を含むが、それらは常に同一であり；哺乳類では、１つの抗体について軽鎖κまたはλのうちの１つのタイプのみが存在する。
【００４０】
すべての抗体の一般的な構造はきわめて類似するが、所与の抗体の特有の特性は、これまでに詳述した可変（Ｖ）領域によって決まる。より具体的には、それぞれ軽鎖（ＶＬ）に３つおよび重鎖（ＶＨ）に３つの可変ループが、抗原に対する結合、すなわちその抗原特異性に関与する。これらのループは、相補性決定領域（ＣＤＲ）と呼ばれる。ＶＨドメインとＶＬドメインの両方からのＣＤＲが抗原結合部位に寄与するため、最終的な抗原特異性を決めるのは重鎖と軽鎖の組合せであり、どちらか単独ではない。
【００４１】
「抗体フラグメント」は、これまでに定義した少なくとも１つの抗原結合フラグメントを含み、そのフラグメントが得られる完全な抗体と本質的に同一の機能および特異性を示す。パパインによる限定タンパク質分解は、Ｉｇプロトタイプを３つのフラグメントに切断する。それぞれが１つの完全なＬ鎖および約半分のＨ鎖を含む２つの同一のアミノ末端フラグメントが、抗原結合フラグメント（Ｆａｂ）である。第３のフラグメントは、サイズは同等であるが、鎖間のジスルフィド結合を有する両方の重鎖のカルボキシル末端側の半分を含む、結晶化可能なフラグメント（Ｆｃ）である。Ｆｃは、炭水化物、補体結合およびＦｃＲ−結合部位を含む。限定的なペプシンの消化作用によって、両方のＦａｂ片およびＨ−Ｈ鎖間のジスルフィド結合を含むヒンジ領域を包含する単一のＦ（ａｂ’）２フラグメントが得られる。Ｆ（ａｂ’）２は、抗原結合に対して２価である。Ｆ（ａｂ’）２のジスルフィド結合は、Ｆａｂ’を得るために切断することができる。さらに、重鎖および軽鎖の可変領域を互いに縮合させて、１本鎖の可変フラグメント（ｓｃＦｖ）を形成することができる。
【００４２】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類金属、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４３】
薬学的に許容される溶媒和物は、たとえば、水和物である。
【００４４】
さらに、本発明の趣旨および範囲から逸脱することなく、本発明に様々な修正および変更を加えることが可能であることが、関連分野の技術者には明らかであろう。さらに、添付の特許請求の範囲において使用される参照符号はいずれも、本発明の範囲を限定すると解釈されるものではないことに留意されたい。
【００４５】
以下では、図面を参照することによって、本発明の好ましい実施形態について説明する。
【図面の簡単な説明】
【００４６】
【図１】初期の構成における薬物送達デバイスの斜視図である。
【図２】用量要素が引き出された構成の図１によるデバイスを示す図である。
【図３】薬物送達デバイスの手動で相互作用する各構成要素のブロック図である。
【発明を実施するための形態】
【００４７】
図１および２は、ペン型注射器として設計された薬物送達デバイス１０を示す。かなり細長い管形のハウジング１８は、２つのハウジング構成要素、すなわち、近位の本体１２および遠位に配置されたカートリッジ・ホルダ１４を備える。本体１２およびカートリッジ・ホルダ１４は、手で相互に連結される。
【００４８】
カートリッジ・ホルダ１４は点検窓１６を備え、また通常はガラス体を有し、液体薬剤が充填された管形のカートリッジ２８を収容する働きをする。図３に示すカートリッジ２８は、通常は穿孔可能なセプタムで密閉されたボトルネック型の遠位部分を有する。カートリッジ２８の遠位の出口は、通常はカートリッジ・ホルダ１４のねじ付きソケット２０の遠位端面の近くに位置する。このソケット２０は、注射針を有し、前記ソケット２０に螺着するように適合された針ハブ２６に対する取り付け部を提供する。
【００４９】
たとえば図３に示す二重先端（ｄｏｕｂｌｅ−ｔｉｐｐｅｄ）ニードル・アセンブリ２６は、カートリッジ２８の遠位のセプタムに貫入し、液体薬剤を生体組織の中に投薬および注入することを可能にする。
【００５０】
近位のハウジング構成要素１２は、駆動機構を受け、収容するように適合され、それが図３にかなり単純化した形で示してある。駆動機構は、カートリッジ２８の近位に配置されたピストン３０と動作可能に係合するようになる、少なくとも１つのピストン・ロッド３２を備える。ピストン３０を遠位方向に、したがって図３の左側に変位させると、カートリッジ２８の中に提供された薬剤の投薬が行われる。
【００５１】
ピストン３０のそうした遠位を向いた動きは、電気機械的な駆動装置３４によって駆動される、対応して変位可能なピストン・ロッド３２によって引き起こされる。このデバイス１０は、電力をピストン・ロッド３２の遠位を向いた動きに変える、電気機械的に実施される駆動機構３２、３４を備える。駆動装置３４および／またはここには明示的に示されていないそれぞれの制御要素は、投薬に関連する情報を使用者または医療スタッフに提供する表示要素３６と連結されることが好ましい。
【００５２】
薬物送達デバイス１０は、用量要素１５、２４をさらに備え、それによって、投薬する用量の大きさを要求に応じて設定および／または変更することができる。用量要素１５、２４は、用量投薬手順を開始するために、たとえば遠位方向４６に押し下げられる用量ボタン１５を備える。さらに、用量要素は用量ダイヤル２４を備え、それによって、用量要素１５、２４全体を、図１に示す初期の構成から図２に示す引き出された構成１５’、２４’に変えることができる。用量要素１５、２４は、近位方向４５における長手方向を向いた滑り移動によって、または螺旋状の動き４４によって引き出すことができる。
【００５３】
示されていない他の実施形態において、用量要素はハウジングに回転支持される。こうして、用量設定および／または用量投薬は、もっぱら用量ダイヤルのハウジングに対する回転によって制御される。用量要素は軸方向には移動せず、螺旋状の動きを受けない。
【００５４】
さらに、示されていないさらなる代替形態において、用量要素は、用量要素２４に似た回転可能なノブのみを備えてもよく、その近位の自由端に用量要素１５は含まれない。その場合、用量設定の目的で、用量要素を本体１２からねじって外す、かつ／または引き出すことができる。用量投薬動作は、様々な方法、たとえば本体１２から半径方向外側に延びる、ここには示されていない他のボタンを押すことによって起動することができる。
【００５５】
用量ダイヤル２４および押しボタン１５は、外周上の目盛２３を特色とする円筒形のロッド２２に支持される。したがって、用量要素１５、２４を引き出すことによって、ロッド２２上に提供された目盛２３が見えるようになり、したがって、設定された用量の大きさを示すことができる。この構成では、用量要素１５、２４のハウジング１８および／または本体１２に対する軸方向または長手方向の変位が、前記用量の大きさを直接的に示すことが特に有益である。しかしながら、目盛２３は、任意選択の機能として提供することができる。一般的に、設定された投与量の大きさを視覚的にどのように示すかについては、多くの異なる方法が存在する。ハウジング１２は、たとえばここには明示的に示されていない電子的に実施される表示要素を備えることができる。
【００５６】
図３にさらに示すように、用量要素２４、１５は、駆動装置３４およびピストン・ロッド３２から機械的に切り離される。長手方向の近位を向いたロッド２２を引き出す動き４５が、センサ要素３８によって検知され測定される。測定された距離に応じて、ロッド２２が遠位方向４５に引き出されており、注入される用量の大きさが設定される。したがって、用量の大きさを決定するために、センサによって生成された信号が、制御要素または駆動装置３４によって処理される。
【００５７】
用量ボタン１５’を遠位方向に押し下げ、前記ボタン１５’にそれぞれの遠位を向いた力４６を加えることは、力センサ４２によって検知される。所定の閾値より高い力が検知されると、駆動装置３４によってそれぞれの用量投薬動作が起動される。さらに、用量投薬手順の間に、ロッド２２と機械的に係合されたアクチュエータ要素４０が、ロッド２２および用量要素１５、２４を、たとえば図１に示すそれらの初期位置に戻すことができる。アクチュエータは別個のアクチュエータとして設計され、電気的に実施される用量注射手順の間、もっぱらロッド２２を遠位方向に移動させるように適合される。
【００５８】
こうして、電気機械的に実施される駆動機構３２、３４は、従来の手で動作させる薬物送達デバイスの全般的な挙動を再現し模倣する。
【００５９】
このデバイス１０およびその機能性により、手で動作させる薬物送達デバイスに慣れた使用者も、電気機械的に動作させる薬物送達デバイス１０により容易に慣れることができる。さらに、用量ボタン１５に加える力４６を、従来のまたは手で動作させるデバイスに比べて比較的低いレベルに保つことができる。一般的に、力のレベルは、手で実施される薬物送達デバイスに比べて比較的低いレベルに保つことができる。こうして、電気機械的な駆動機構３２、３４は、サーボ駆動装置をシミュレートすることができる。
【００６０】
また、自動化された注射手順を力センサ３２によって制御することができるため、たとえば投薬動作の間に、用量ボタン１５に加えられる圧力が所定の閾値より低くなったとき、投薬動作を中断することも可能である。
【符号の説明】
【００６１】
１０  薬物送達デバイス
１２  本体
１４  カートリッジ・ホルダ
１５  用量ボタン
１６  点検窓
１８  ハウジング
２０  ソケット
２２  ロッド
２３  目盛
２４  用量ダイヤル
２６  ニードル・アセンブリ
２８  カートリッジ
３０  ピストン
３２  ピストン・ロッド
３４  駆動装置
３６  表示装置
３８  センサ
４０  アクチュエータ
４２  力センサ
４４  回転
４５  遠位方向
４６  投薬力
【図１】
2014520617.tif 000003
【図２】
2014520617.tif 000004
【図３】
2014520617.tif 000005
【国際調査報告】
2014520617.tif 000006
2014520617.tif 000007
2014520617.tif 000008